(57)【要約】【課題】  着せ替え式座椅子クッションにおいて、長期間使用の結果クッション材が弾力性を失って座り心地が悪くなっても、新品と交換することによって継続使用が可能で、かつ低コストでバラエティに富んだ座椅子とすることができること。【解決手段】  座椅子本体２の座部３と背凭部４の接合部である屈曲部には、幅広の貫通穴５が設けられている。またクッション６，７を裏返した状態で見ると、装着用袋生地６ａ，７ａが、座椅子本体２の座部３，背凭部４が挿入される部分を除いて、クッション６，７の裏側の縁に沿って縫付けられ、入口の中央部裏側には接着布の硬い側８ａが縫付けられている。座部３，背凭部４をクッション６，７の装着用袋６ａ，７ａの奥まで押し込んで、貫通穴５を通してベルト部９，１０を引き出し、先端裏側の接着布の軟らかい側８ｂを装着用袋６ａ，７ａの入口裏側の接着布の硬い側８ａに押し付けて接着し、交換自在に装着される。【選択図】        図２
2005137593.tif 000002
【特許請求の範囲】
【請求項１】
座椅子の座部及び／または背凭部のクッションであって、前記座椅子の本体に着脱可能であることを特徴とする着せ替え式座椅子クッション。
【請求項２】
クッション材を表面生地で包んでなるクッションの裏側に前記座椅子の本体の前記座部または前記背凭部が先端まで挿入される装着用袋が取付けられていることを特徴とする請求項１に記載の着せ替え式座椅子クッション。
【請求項３】
前記クッションの外周に沿って前記表面生地には所定長さに亘って開閉具が取付けられており、該開閉具を開くことによって前記クッション材を出し入れ可能であることを特徴とする請求項２に記載の着せ替え式座椅子クッション。
【請求項４】
前記装着用袋は縦方向（前記座部または前記背凭部の挿入される方向）には伸縮性が殆どなく横方向には伸縮性を有する生地の周囲を前記座部または前記背凭部の挿入される部分を除いて前記表面生地に取付けて形成されていることを特徴とする請求項２または請求項３に記載の着せ替え式座椅子クッション。
【請求項５】
前記クッションの裏側の先端に前記座椅子の本体の屈曲部に設けられた貫通穴を通すベルト部を設け、該ベルト部の先端近傍と前記装着用袋の相当する部分とに１対の接続具をそれぞれ取付けたことを特徴とする請求項２乃至請求項４のいずれか１つに記載の着せ替え式座椅子クッション。
【請求項６】
前記１対の接続具としての接着布の硬い側と軟らかい側とは前記ベルト部の先端近傍の裏側と前記装着用袋の相当する部分の内側にそれぞれ取付けられ、前記接着布の硬い側と軟らかい側とを接着させたときには前記ベルト部の先端は前記装着用袋の内側に位置することを特徴とする請求項５に記載の着せ替え式座椅子クッション。
【発明の詳細な説明】
【技術分野】
【０００１】
本発明は、弾力性を失って座り心地が悪くなったら交換することによって座椅子を半永久的に使い続けることができる着せ替え式座椅子クッションに関するものである。
【背景技術】
【０００２】
従来の座椅子は、臀部を載せる座部と背中を凭せ掛ける背凭部とをラチェット機構を有する蝶番等で接続して、座部に対する背凭部の傾きを多段階で可変とし、座部と背凭部にはそれぞれ全面にウレタンフォーム等のクッション材を取付けて座り心地を良くしている。しかし、かかる座椅子においては、座椅子の骨組みを構成するフレームとクッション材と表面材とを一体に構成しているため、飲み物等をこぼして座椅子の表面を汚してしまった場合に、洗濯することができない。
【０００３】
そこで、特許文献１に記載の技術においては、座椅子の座部と背凭部に一体に汚れ防止カバーを着脱可能に被せて使用することによって、誤って飲み物等をこぼしてしまった場合でも、汚れ防止カバーを取外して洗濯することができ、またそれでも汚れが落ちなかった場合には新しい汚れ防止カバーを被せて使用すれば、新しく座椅子を買い直すよりは遥かに安く済むので、このような座椅子カバーは高い需要を得てきた。
【特許文献１】特開２００３−１１６６５７号公報
【発明の開示】
【発明が解決しようとする課題】
【０００４】
しかしながら、上記特許文献１に記載の技術のようなクッション材一体型の座椅子においては、長期間使用を続けるうちにクッション材としてのウレタンフォーム等が弾力性を失って座り心地が悪くなる。こうなると、従来の座椅子は粗大ゴミと化してしまい、廃棄するにも各地方自治体で定められた料金を支払って引き取ってもらわなければならない。また、長期間使用して座椅子のデザインに飽きてきた場合にも、新しい座椅子を購入するコストと古い座椅子を廃棄するコストがかかるという問題点があった。
【０００５】
そこで、本発明は、長期間使用の結果クッション材が弾力性を失って座り心地が悪くなっても、クッション或いはクッション材を新品と交換することによって継続使用が可能で、かつ低コストでバラエティに富んだ座椅子とすることができる着せ替え式座椅子クッションを提供することを課題とするものである。
【課題を解決するための手段】
【０００６】
請求項１の発明にかかる着せ替え式座椅子クッションは、座椅子の座部及び／または背凭部のクッションであって、前記座椅子の本体に着脱可能であるものである。
【０００７】
請求項２の発明にかかる着せ替え式座椅子クッションは、請求項１の構成において、クッション材を表面生地で包んでなるクッションの裏側に前記座椅子の本体の前記座部または前記背凭部が先端まで挿入される装着用袋が取付けられているものである。
【０００８】
請求項３の発明にかかる着せ替え式座椅子クッションは、請求項２の構成において、前記クッションの外周に沿って前記表面生地には所定長さに亘って開閉具が取付けられており、該開閉具を開くことによって前記クッション材を出し入れ可能であるものである。
【０００９】
請求項４の発明にかかる着せ替え式座椅子クッションは、請求項２または請求項３の構成において、前記装着用袋は縦方向（前記座部または前記背凭部の挿入される方向）には伸縮性が殆どなく横方向には伸縮性を有する生地の周囲を前記座部または前記背凭部の挿入される部分を除いて前記表面生地に取付けて形成されているものである。
【００１０】
請求項５の発明にかかる着せ替え式座椅子クッションは、請求項２乃至請求項４のいずれか１つの構成において、前記クッションの裏側の先端に前記座椅子の本体の屈曲部に設けられた貫通穴を通すベルト部を設け、該ベルト部の先端近傍と前記装着用袋の相当する部分とに１対の接続具をそれぞれ取付けたものである。
【００１１】
請求項６の発明にかかる着せ替え式座椅子クッションは、請求項５の構成において、前記１対の接続具としての接着布の硬い側と軟らかい側とは前記ベルト部の先端近傍の裏側と前記装着用袋の相当する部分の内側にそれぞれ取付けられ、前記接着布の硬い側と軟らかい側とを接着させたときには前記ベルト部の先端は前記装着用袋の内側に位置するものである。
【発明の効果】
【００１２】
請求項１の発明にかかる着せ替え式座椅子クッションは、座椅子の座部または背凭部またはそのいずれにも使用できるクッションで、座椅子の本体に着脱することができる。したがって、飲み物等をこぼしてクッションを汚してしまったり、長期間の使用によってクッション材が弾力性を失って座り心地が悪くなっても、汚れた、または古いクッションを座椅子の本体の座部または背凭部から外して新しいクッションと交換することによって、座椅子が粗大ゴミとならず、続けて使用することができる。また、長期間使用して座椅子のデザインに飽きてきた場合には、座部及び／または背凭部のクッションを形状・色彩・模様の異なるものと交換することによって、低コストでバラエティに富んだ座椅子とすることができる。
【００１３】
このようにして、長期間使用の結果クッション材が弾力性を失って座り心地が悪くなったりしても、クッションを新品と交換することによって継続使用が可能で、かつ低コストでバラエティに富んだ座椅子とすることができる着せ替え式座椅子クッションとなる。
【００１４】
請求項２の発明にかかる着せ替え式座椅子クッションは、クッション材を表面生地で包んでなるクッションの裏側に装着用袋が取付けられ、この装着用袋内に座椅子の本体の座部または背凭部が先端まで挿入されることによって、クッションが座部及び背凭部に着脱可能に取付けられている。これによって、クッションの着脱を容易に行うことができ、飲み物等をこぼしてクッションを汚してしまったり、長期間の使用によってクッション材が弾力性を失って座り心地が悪くなっても、汚れた、または古いクッションを座椅子の本体の座部または背凭部から外して簡単に新品と交換することができ、座椅子が粗大ゴミとならず、続けて使用することができる。
【００１５】
このようにして、長期間使用の結果クッション材が弾力性を失って座り心地が悪くなったりしても、クッションを新品と交換することによって継続使用が可能で、かつ低コストでバラエティに富んだ座椅子とすることができる着せ替え式座椅子クッションとなる。
【００１６】
請求項３の発明にかかる着せ替え式座椅子クッションは、クッションの外周に沿って表面生地に、ほぼ全周・半周・長方形の一辺等の所定長さの開閉具が取付けられており、この開閉具を開くことによってウレタンフォーム等のクッション材を出し入れできる。ここで、開閉具としては、所定長さのファスナー・複数のドット釦・複数のボタン及びボタンホール・複数のＺナップ・所定長さのまたは複数の接着布（マジックテープ：登録商標）等を用いることができる。
【００１７】
したがって、飲み物等をこぼしてクッションを汚してしまった場合でも、まずクッションを座椅子本体から外して、クッションの上記開閉具を開いてクッション材を取り出せば、汚れたクッションカバーのみを洗濯やクリーニング等によって綺麗にすることができ、またクッション材を入れてファスナーを閉じ、座椅子本体に取付けることによって継続使用することができる。これによって、クッション材がまだ弾力性を保持しているのにクッションの表面を汚しただけで新しいクッションと交換する必要がなく、非常に経済的である。
【００１８】
また、長期間の使用によってクッション材が弾力性を失って座り心地が悪くなったが、クッションカバーはまだ充分使用に耐える場合には、開閉具を開いて古いクッション材を取り出し、新しいクッション材を入れて開閉具を閉じれば、継続して使用することができる。
【００１９】
さらに、クッション材には様々な素材を用いることができ、それぞれ特徴を有している。例えば、チップウレタン（細かく砕いたウレタンフォームを成形したもの）は多少硬めで体の沈み込みを抑えて丈夫で長持ちするクッション材であり、低反発ウレタンは体にかかる圧力を均等に吸収・分散して支えてくれる素材で、一点に圧力が集中しないので血行を妨げない。クッションカバーを開閉具で開閉自在にしたことによって、好みや必要に応じてクッション材をこれらの異なった素材のものに自在に交換することもできる。
【００２０】
このようにして、クッションを汚してしまった場合でも汚れたクッションカバーのみを取外して洗濯やクリーニング等によって綺麗にすることができて経済的であり、またクッション材を自在に交換することができる着せ替え式座椅子クッションとなる。
【００２１】
請求項４の発明にかかる着せ替え式座椅子クッションは、装着用袋が縦方向（座部または背凭部の挿入される方向）には伸縮性が殆どなく横方向には伸縮性を有する生地の周囲を、座部または背凭部の挿入される部分を除いて表面生地に縫付け等によって取付けて形成されている。したがって、クッションの装着用袋の部分を座部または背凭部に被せる際には装着用袋が横方向に伸びるので装着し易く、一旦装着してしまえば座部または背凭部が装着用袋によって締め付けられるのでクッションがずれることはない。
【００２２】
このようにして、装着する際には装着し易く、装着後はずれにくく、かつ低コストでバラエティに富んだ座椅子とすることができる着せ替え式座椅子クッションとなる。
【００２３】
請求項５の発明にかかる着せ替え式座椅子クッションは、座椅子本体の屈曲部に貫通穴が設けられた座椅子に使用されるもので、クッションの裏側の先端にこの貫通穴を通すベルト部を設け、ベルト部の先端近傍と、クッションを座部または背凭部に奥まで被せてベルト部を引張った状態でベルト部の先端近傍が当る装着用袋の部分とに１対の接続具をそれぞれ取付け、接続して止めるものである。
【００２４】
ここで、１対の接続具としては、接着布（マジックテープ：登録商標）の硬い側と軟らかい側・ドット釦の凸側と凹側・ボタンとボタンホール・Ｚナップの凸側と凹側・オープンファスナー等を用いることができる。
【００２５】
したがって、座部のクッションも背凭部のクッションも座椅子本体にしっかり固定され、ずれたりすることがない。取付けも、１対の接続具を接続するだけなので極めて容易である。
【００２６】
このようにして、装着する際には極めて装着し易く、装着後はしっかり固定されてずれることのない着せ替え式座椅子クッションとなる。なお、本発明にかかる着せ替え式座椅子クッションにおいては、装着用袋を構成する生地は縦方向には伸縮性がないほうが好ましく、横方向には伸縮性があってもなくても良い。
【００２７】
請求項６の発明にかかる着せ替え式座椅子クッションは、１対の接続具としての接着布の硬い側と軟らかい側とはベルト部の先端近傍の裏側と装着用袋の相当する部分の内側とにそれぞれ取付けられているため、接着布の硬い側と軟らかい側とを接着させて固定したときにはベルト部の先端は装着用袋の内側に位置することになる。したがって、特に背凭部に人の手等が触れたときにベルト部の先端に当って接着布を剥がしてしまう恐れが全くない。座部の裏側についても、同様である。
【００２８】
このようにして、うっかり接着布を剥がしてしまう恐れが全くない着せ替え式座椅子クッションとなる。
【発明を実施するための最良の形態】
【００２９】
以下、本発明の実施の形態について、図面を参照しつつ説明する。
【００３０】
実施の形態１
まず、本発明の実施の形態１について、図１及び図２を参照して説明する。
【００３１】
図１は本発明の実施の形態１にかかる着せ替え式座椅子クッションが用いられた座椅子の全体構造を示した斜視図である。図２は本発明の実施の形態１にかかる着せ替え式座椅子クッションの座椅子本体への取付け手順を示した説明図である。
【００３２】
図１に示されるように、本実施の形態１にかかる着せ替え式座椅子クッションが用いられた座椅子１は、座椅子本体２の座部３と背凭部４の接続部分に当る屈曲部に幅広の貫通穴５が設けられている。後述するように、この貫通穴５に接着布付きベルト部を通すことによって、座部３には一部が欠けた円形の着せ替え式座椅子クッション６が、背凭部４には長方形の着せ替え式座椅子クッション７が、それぞれ固定されることになる。座椅子本体２の座部３と背凭部４とはラチェット式の接続具で接続されており、座部３と背凭部４とがほぼ一直線になった両者の角度約１８０度の状態から、背凭部４を所定角度ずつ起き上がらせることによって、好みの背凭部４の傾斜状態に調節することができる。これに伴って、長方形の着せ替え式座椅子クッション７も、想像線で示される傾斜した状態から実線で示される垂直に近く立ち上がった状態まで段階的に変化し、使用者は好みの背凭角度で座椅子１に座ることができる。
【００３３】
なお、本実施の形態１の着せ替え式座椅子クッション６，７においては、表面生地（クッションカバー）として船の帆に使われるキャンパス生地を使用しているので、汚れたら後述するように内部のクッション材を取り出して洗濯することができる。
【００３４】
次に、本実施の形態１にかかる着せ替え式座椅子クッション（以下、単に「クッション」ともいう。）６，７を座椅子本体２へ取付ける手順について、図２を参照して説明する。図２（ａ）に示されるように、座椅子本体２の座部３と背凭部４の接合部である屈曲部には、幅広の貫通穴５が設けられている。また、クッション６，７を裏返した状態で見ると、座部用の円形を一部カットした形状のクッション６の裏側には、２箇所の開口部６ｃを設けて装着用袋生地６ａが、座椅子本体２の座部３が挿入される部分を除いて、クッション６の裏側の縁に沿って縫付けられている。そして、この装着用袋生地６ａの座部３が挿入される口の中央部裏側には、１対の接続具の一方としての接着布の硬い側８ａが縫付けられている。
【００３５】
また、クッション６の円形を一部カットした形状の直線部分には、表面生地（クッションカバー）に開閉具としてのファスナー６ｂが取付けられており、このファスナー６ｂを開くことによって、内部のクッション材としてのチップウレタンを変形させて出し入れすることが可能になっている。さらに、ファスナー６ｂの近傍にはベルト部９の後端が縫付けられており、このベルト部９の先端裏側には１対の接続具の他方としての接着布の軟らかい側８ｂが縫付けられている。
【００３６】
一方、背凭部用の長方形のクッション７の裏側には装着用袋生地７ａが、座椅子本体２の背凭部４が挿入される部分を除いてクッション７の裏側の縁に沿って縫付けられている。そして、この装着用袋生地７ａの背凭部４が挿入される口の中央部裏側には、１対の接続具の一方としての接着布の硬い側８ａが縫付けられている。
【００３７】
また、クッション７の長方形の下端直線部分には、表面生地（クッションカバー）に開閉具としてのファスナー７ｂが取付けられており、このファスナー７ｂを開くことによって、内部のクッション材としてのウレタンフォームを変形させて出し入れすることが可能になっている。さらに、ファスナー７ｂの近傍にはベルト部１０の後端が縫付けられており、このベルト部１０の先端裏側には１対の接続具の他方としての接着布の軟らかい側８ｂが縫付けられている。
【００３８】
かかる構造を有する本実施の形態１の着せ替え式座椅子クッション６，７を座椅子本体２に装着するには、図２（ｂ）に示されるように、クッション６の裏側の装着用袋６ａを座椅子本体２の座部３に被せ、クッション７の裏側の装着用袋７ａを座椅子本体２の背凭部４に被せて、それぞれ奥まで押し込んで行く。そして、図２（ｃ）に示されるように、まず座部３をクッション６の装着用袋６ａの奥まで押し込んで、貫通穴５を通してベルト部９を引き出し、ベルト部９を引張りながら先端裏側の接着布の軟らかい側８ｂを装着用袋６ａの入口裏側の接着布の硬い側８ａに押し付けて接着する。
【００３９】
次に、背凭部４をクッション７の装着用袋７ａの奥まで押し込んで、クッション７がクッション６の上に載るようにして、貫通穴５を通してベルト部１０を引き出し、ベルト部１０を引張りながら先端裏側の接着布の軟らかい側８ｂを装着用袋７ａの入口裏側の接着布の硬い側８ａに押し付けて接着する。これによって、クッション６，７は座椅子本体２にしっかり装着・固定され、座椅子１として使用中にずれたりすることがない。
【００４０】
なお、本実施の形態１とは逆に、ベルト部９，１０の先端裏側に接着布の硬い側８ａを取付け、装着用袋６ａ，７ａの入口裏側に接着布の軟らかい側８ｂを取付けても良いことは言うまでもない。
【００４１】
さらに、図２（ｃ）に示されるように、接着布の硬い側８ａと軟らかい側８ｂとを接着させて固定した状態においては、ベルト部９，１０の先端は装着用袋６ａ，７ａの内側にそれぞれ位置することになる。したがって、特に背凭部４の裏側に人の手等が触れたときにベルト部１０の先端に当って接着布８ａ，８ｂを剥がしてしまう恐れが全くない。座部３の裏側についても、同様である。
【００４２】
そして、座椅子１に飲み物等をこぼしてクッション６，７のいずれかが汚れたときには、接着布８ａ，８ｂを剥がしてクッション６，７のうち汚れた方を座椅子本体２から抜き出して、ファスナー６ｂまたはファスナー７ｂを開いて内部のクッション材（チップウレタンまたはウレタンフォーム）を取り出し、クッションカバー（表面生地）をベルト部９（１０）、装着用袋６ａ（７ａ）、ファスナー６ｂ（７ｂ）を付けたまま洗濯し、或いはクリーニングに出せば良い。クッションカバーの汚れが落ちたら、クッション材を入れてファスナー６ｂ（７ｂ）を閉じ、また上述した手順で座椅子本体２に取付ければ、座椅子１として元通りに使うことができる。
【００４３】
さらに、長期間の使用によってクッション材が弾力性を失って座り心地が悪くなった場合においても、古いクッション６（７）を座椅子本体２の座部３または背凭部４から外して新しいクッションと交換することによって、座椅子１が粗大ゴミとならず、続けて使用することができる。また、長期間使用して座椅子のデザインに飽きてきた場合には、座部３及び／または背凭部４のクッション６（７）を形状・色彩・模様の異なるものと交換することによって、低コストでバラエティに富んだ座椅子とすることができる。
【００４４】
このようにして、本実施の形態１の着せ替え式座椅子クッション６，７は、クッションを汚してしまった場合でも汚れたクッションカバーのみを取外して洗濯やクリーニング等によって綺麗にすることができて経済的であり、またクッション材を自在に交換することができ、クッション材が弾力性を失って座り心地が悪くなった場合でも、クッションを新品と交換することによって継続使用が可能で、かつ低コストでバラエティに富んだ座椅子とすることができる。
【００４５】
実施の形態２
次に、本発明の実施の形態２について、図３及び図４を参照して説明する。
【００４６】
図３は本発明の実施の形態２にかかる着せ替え式座椅子クッションが用いられた座椅子の全体構造を示した斜視図である。図４は本発明の実施の形態２にかかる着せ替え式座椅子クッションの座椅子本体への取付け手順を示した説明図である。
【００４７】
図３に示されるように、本実施の形態２にかかる着せ替え式座椅子クッションが用いられた座椅子１１は、実施の形態１の座椅子１と異なり、座椅子本体１２の座部１３と背凭部１４の接続部分に当る屈曲部に貫通穴が設けられていない。座椅子本体１２の座部１３と背凭部１４とはラチェット式の接続具で接続されており、座部１３と背凭部１４とがほぼ一直線になった両者の角度約１８０度の状態から、背凭部１４を所定角度ずつ起き上がらせることによって、好みの背凭部１４の傾斜状態に調節することができる。これに伴って、長方形の着せ替え式座椅子クッション１７も、想像線で示される傾斜した状態から実線で示される垂直に近く立ち上がった状態まで段階的に変化し、使用者は好みの背凭角度で座椅子１１に座ることができる。
【００４８】
なお、本実施の形態２の着せ替え式座椅子クッション１６，１７においても、表面生地（クッションカバー）として船の帆に使われるキャンパス生地を使用しているので、汚れたら後述するように内部のクッション材を取り出して洗濯することができる。
【００４９】
次に、本実施の形態２にかかる着せ替え式座椅子クッション（以下、単に「クッション」ともいう。）１６，１７を座椅子本体１２へ取付ける手順について、図４を参照して説明する。図４（ａ）に示されるように、座椅子本体１２の座部１３と背凭部１４の接合部である屈曲部には、貫通穴は設けられていない。したがって、専用の座椅子本体１２を使用しなくとも、市販の薄手の座椅子を座椅子本体１２の代わりに使用することも可能である。
【００５０】
また、クッション１６，１７を裏返した状態で見ると、座部用のクッション１６の裏側には、装着用袋生地１６ａが座椅子本体１２の座部１３が挿入される部分を除いて、クッション１６の裏側の縁に沿って縫付けられている。そして、この装着用袋生地１６ａは、縦方向（座部１３が挿入される方向）Ｖには伸縮性がなく、横方向Ｈには縦方向Ｖと比較して大きな伸縮性を有している。また、クッション１６の一辺の直線部分には、表面生地（クッションカバー）に開閉具としてのファスナー１６ｂが取付けられており、このファスナー１６ｂを開くことによって、内部のクッション材としての低反発ウレタンを変形させて出し入れすることが可能になっている。
【００５１】
一方、背凭部用のクッション１７の裏側には、装着用袋生地１７ａが座椅子本体１２の背凭部１４が挿入される部分を除いて、クッション１７の裏側の縁に沿って縫付けられている。そして、この装着用袋生地１７ａも、縦方向（背凭部１４が挿入される方向）Ｖには伸縮性がなく、横方向Ｈには縦方向Ｖと比較して大きな伸縮性を有している。また、クッション１７の長方形の下端直線部分には、表面生地（クッションカバー）に開閉具としてのファスナー１７ｂが取付けられており、このファスナー１７ｂを開くことによって、内部のクッション材としてのウレタンフォームを変形させて出し入れすることが可能になっている。
【００５２】
かかる構造を有する本実施の形態２の着せ替え式座椅子クッション１６，１７を座椅子本体１２に装着するには、図４（ｂ）に示されるように、クッション１６の裏側の装着用袋１６ａを座椅子本体１２の座部１３に被せ、クッション１７の裏側の装着用袋１７ａを座椅子本体１２の背凭部１４に被せて、それぞれ奥まで押し込んで行く。そして、図４（ｃ）に示されるように、まず座部１３をクッション１６の装着用袋１６ａの奥まで押し込んで、次に、背凭部１４をクッション１７の装着用袋１７ａの奥まで押し込んで、クッション１７がクッション１６の上に載るようにして装着する。これによって、クッション１６，１７の装着用袋１６ａ，１７ａを座部１３及び背凭部１４に被せる際には装着用袋１６ａ，１７ａが横方向に伸びるので装着し易く、一旦装着してしまえば座部１３及び背凭部１４が装着用袋１６ａ，１７ａによって横方向に締め付けられる。これによって、クッション１６，１７は座椅子本体１２にしっかり装着され、座椅子１１として使用中にずれたりすることがない。
【００５３】
また、本実施の形態２の着せ替え式座椅子クッション１６，１７はベルト部を設けたり１対の接着布を縫付けたりする必要がないので、簡単に製造することができ、低コストになる。さらに、座椅子本体１２に貫通穴が必要ないので、既存の薄手の座椅子を座椅子本体１２として使用することもでき、よりコストダウンできる。
【００５４】
そして、座椅子１１に飲み物等をこぼしてクッション１６，１７のいずれかが汚れたときには、汚れた方を座椅子本体１２から抜き出して、ファスナー１６ｂまたはファスナー１７ｂを開いて内部のクッション材（低反発ウレタンまたはウレタンフォーム）を取り出し、クッションカバー（表面生地）を装着用袋１６ａ（１７ａ）、ファスナー１６ｂ（１７ｂ）を付けたまま洗濯し、或いはクリーニングに出せば良い。クッションカバーの汚れが落ちたら、クッション材を入れてファスナー１６ｂ（１７ｂ）を閉じ、また上述した手順で座椅子本体１２に取付ければ、座椅子１１として元通りに使うことができる。
【００５５】
さらに、長期間の使用によってクッション材が弾力性を失って座り心地が悪くなった場合においても、古いクッション１６（１７）を座椅子本体１２の座部１３または背凭部１４から外して新しいクッションと交換することによって、座椅子１１が粗大ゴミとならず、続けて使用することができる。また、長期間使用して座椅子のデザインに飽きてきた場合には、座部１３及び／または背凭部１４のクッション１６（１７）を形状・色彩・模様の異なるものと交換することによって、低コストでバラエティに富んだ座椅子とすることができる。
【００５６】
このようにして、本実施の形態２の着せ替え式座椅子クッション１６，１７は、クッションを汚してしまった場合でも汚れたクッションカバーのみを取外して洗濯やクリーニング等によって綺麗にすることができて経済的であり、またクッション材を自在に交換することができ、クッション材が弾力性を失って座り心地が悪くなった場合でも、クッションを新品と交換することによって継続使用が可能で、かつ低コストでバラエティに富んだ座椅子とすることができる。
【００５７】
上記実施の形態１においては、ベルト部９，１０と装着用袋６ａ，７ａとを接続する１対の接続具として接着布の硬い側８ａと軟らかい側８ｂを用いているが、接続具としては接着布に限られるものではなく、ドット釦の凸側と凹側・ボタンとボタンホール・Ｚナップの凸側と凹側・オープンファスナー等を用いることができる。
【００５８】
また、上記各実施の形態においては、開閉具としてファスナー６ｂ，７ｂ，１６ｂ，１７ｂを用いた例について説明したが、これに限られるものではなく、その他にも複数のドット釦・複数のボタン及びボタンホール・複数のＺナップ・所定長さのまたは複数の接着布等を用いることができる。
【００５９】
さらに、上記各実施の形態においては、表面生地（クッションカバー）としてキャンパス生地を使用した例についてのみ説明したが、その他にもジャガード織からなるアニマル模様のついたジャガード生地や、高級感のあるレザー（皮）生地、座布団生地等、種々の生地を使用することができる。
【００６０】
また、上記各実施の形態においては、クッション材としてウレタンフォーム、チップウレタン、低反発ウレタンを使用した例について説明したが、その他にも綿や、ウレタンフォームと綿を同時に使用する等、種々のクッション材を使用することができる。
【００６１】
本発明を実施するに際しては、着せ替え式座椅子クッション及び座椅子のその他の部分の構成、形状、数量、材質、大きさ、接続関係等についても、上記各実施の形態に限定されるものではない。
【図面の簡単な説明】
【００６２】
【図１】図１は本発明の実施の形態１にかかる着せ替え式座椅子クッションが用いられた座椅子の全体構造を示した斜視図である。
【図２】図２は本発明の実施の形態１にかかる着せ替え式座椅子クッションの座椅子本体への取付け手順を示した説明図である。
【図３】図３は本発明の実施の形態２にかかる着せ替え式座椅子クッションが用いられた座椅子の全体構造を示した斜視図である。
【図４】図４は本発明の実施の形態２にかかる着せ替え式座椅子クッションの座椅子本体への取付け手順を示した説明図である。
【符号の説明】
【００６３】
１，１１  座椅子
２，１２  座椅子本体
３，１３  座部
４，１４  背凭部
５  貫通穴
６，７，１６，１７  着せ替え式座椅子クッション
６ａ，７ａ，１６ａ，１７ａ  装着用袋
６ｂ，７ｂ，１６ｂ，１７ｂ  ファスナー
８ａ  接着布の硬い側
８ｂ  接着布の軟らかい側
９，１０  ベルト部
【図１】
2005137593.tif 000003
【図２】
2005137593.tif 000004
【図３】
2005137593.tif 000005
【図４】
2005137593.tif 000006